(57)【要約】【課題】カバーを回動させたときに、カバーを安定した姿勢で回動させ、滑らかに回動させることができないという課題がある。【解決手段】円柱部が形成された第１軸部４０ａと平面４０３を有する第２軸部４０ｂとを有する軸部４０と、断面形状が半円形状の円弧が形成された第１軸受け部３２ａと断面形状が半円形状より長い円弧が形成された第２軸受け部３２ｂとを有する軸受け部３２と、を備え、第１軸受け部３２ａには、第１軸部４０ａが嵌合され、第２軸受け部３２ｂには、第２軸部４０ｂが嵌合される開閉装置を提供する。【選択図】図７
2014192439.tif 000002
【特許請求の範囲】
【請求項１】
本体の外側を覆う外装部と、
前記外装部の一部を遮蔽可能なカバーと、
前記外装部と前記カバーのうちの一方に設けられた柱状の軸部と、
前記外装部と前記カバーのうちの他方に設けられて、軸方向に延設される開口部を有し、前記軸部が相対的に回動可能に嵌合された軸受け部と、が備えられ、
前記軸部における軸方向の一方には、円柱部が形成された第１軸部が設けられ、前記軸部における軸方向の他方には、前記円柱部の外周面が軸方向に延設された外周面と、前記外周面より軸中心側に位置して軸方向に延設された平面と、を有する第２軸部が設けられ、
前記軸受け部における軸方向の一方には、軸方向と交わる方向の断面形状が半円形状より長い円弧が形成された第２軸受け部が設けられ、前記軸受け部における軸方向の他方には、前記第２軸受け部が形成される円弧より短く形成された第１軸受け部が設けられ、
前記第１軸受け部には、前記第１軸部が嵌合され、前記第２軸受け部には、前記第２軸部が嵌合されたことを特徴とする開閉装置。
【請求項２】
本体の外側を覆う外装部と、
前記外装部の一部を遮蔽可能なカバーと、
前記外装部と前記カバーのうちの一方に設けられた柱状の軸部と、
前記外装部と前記カバーのうちの他方に設けられて、軸方向に延設される開口部を有し、前記軸部が相対的に回動可能に嵌合された軸受け部と、が備えられ、
前記軸部における軸方向の一方には、円柱部が形成された第１軸部が設けられ、前記軸部における軸方向の他方には、前記円柱部の外周面が軸方向に延設された外周面と、前記外周面より軸中心側に位置して軸方向に延設された平面と、を有する第２軸部が設けられ、
前記軸受け部における軸方向の一方には、軸方向と交わる方向の断面形状が半円形状より長い円弧が形成された第２軸受け部が設けられ、
前記軸受け部における軸方向の他方には、前記第２軸受け部が形成される円弧より短く形成された第１軸受け部が設けられ、
前記第１軸受け部および前記第２軸受け部は、前記カバーが回動する範囲内で前記第１軸部と、前記第２軸部と摺接することを特徴とする開閉装置。
【請求項３】
請求項１または請求項２に記載の開閉装置であって、
前記第１軸受け部の径と、前記第１軸部の径は同じであることを特徴とする開閉装置。
【請求項４】
請求項１から請求項３のいずれか一項に記載の開閉装置を備えたことを特徴とする記録装置。
【請求項５】
請求項４に記載の記録装置であって、
前記外装部には、前記外装部から外方に飛び出す状態で差込対象物を差込可能な接続口が設けられ、
前記カバーは、前記接続口を遮蔽可能に備えられたことを特徴とする記録装置。
【発明の詳細な説明】
【技術分野】
【０００１】
本発明は、開閉装置および記録装置に関する。
【背景技術】
【０００２】
近年、電子機器において、さまざまなカバーが設けられている。たとえば、記録装置においては、メモリーカードスロットに挿入されたメモリーカードに格納されている画像データ等を読み取って、プリント動作を実行可能とするものが普及している。ここで、記録装置の本体において、メモリーカードの挿入に対応するための内部スペースを確保することは、記録装置の本体の大型化に繋がってしまう。このため、メモリーカード全体を格納するだけの内部スペースを確保することなく、挿入されたメモリーカードの一部を本体から飛び出させておくものも存在する。
【０００３】
このようにメモリーカードを本体から飛び出させる構成にあっては、記録装置がデザイン性において劣ったものになるとともに、メモリーカードスロットに外部からの塵埃が混入してしまうという問題が生じる。そこで、記録装置のデザイン性を確保し、塵埃の混入を防止するために、本体にメモリーカードの外側を覆うカバーを設けることが考えられる。
本体にカバーを設ける技術としては、特許文献１に記載されているものがある。特許文献１に開示の構成によれば、本体側に円筒状の軸部としての回動中心軸を設け、蓋に回動中心軸が嵌合する軸受け部としての嵌合部を設け、蓋を所定の角度以上に開口させると、嵌合部に設けられた開口部から回動中心軸が抜け、蓋が本体から外れる。
このような図８（ａ）の軸受け部８０に設けられた開口部８０１の幅の長さＬ１０は、軸部８１の直径Ｌ１１より短く形成し、通常の使用状態では、軸部８１が軸受け部８０から外れない構成になっている。そこで、カバーを本体に装着する際に、軸部８１が開口部８０１を方向Ｄ１０に通って軸受け部８０に嵌合させるため、軸部８１には円筒状の外周面８１１より中心側に位置し、軸方向に延設される平面８１２が設けられ、軸部８１の厚さＬ１２を開口部８０１の幅の長さＬ１０以下に形成した部分を形成することが行われる。
【先行技術文献】
【特許文献】
【０００４】
【特許文献１】特開２００１−１８９５６６号公報
【発明の概要】
【発明が解決しようとする課題】
【０００５】
しかしながら、軸部８１に平面８１２が形成された部分があると、図８（ｂ）に示すように、軸受け部８０の内周面８０２と軸部８１の平面８１２との間に隙間Ｇが生じる。そのため、矢印に示すように軸部８１と軸受け部８０とが相対的に回動した際に、軸受け部８０の開口部８０１に軸部８１の平面８１２が位置したとき、軸部８１が直径方向に変動してしまう。これにより、カバーを回動させたときに、カバーを安定した姿勢で回動させ、滑らかに回動させることができないという課題がある。
【課題を解決するための手段】
【０００６】
本発明は、上述の課題の少なくとも一部を解決するためになされたものであり、以下の形態または適用例として実現することが可能である。
【０００７】
［適用例１］本体の外側を覆う外装部と、前記外装部の一部を遮蔽可能なカバーと、前記外装部と前記カバーのうちの一方に設けられた柱状の軸部と、前記外装部と前記カバーのうちの他方に設けられて、軸方向に延設される開口部を有し、前記軸部が相対的に回動可能に嵌合された軸受け部と、が備えられ、前記軸部における軸方向の一方には、円柱部が形成された第１軸部が設けられ、前記軸部における軸方向の他方には、前記円柱部の外周面が軸方向に延設された外周面と、前記外周面より軸中心側に位置して軸方向に延設された平面と、を有する第２軸部が設けられ、前記軸受け部における軸方向の一方には、軸方向と交わる方向の断面形状が半円形状より長い円弧が形成された第２軸受け部が設けられ、前記軸受け部における軸方向の他方には、前記第２軸受け部が形成される円弧より短く形成された第１軸受け部が設けられ、前記第１軸受け部には、前記第１軸部が嵌合され、前記第２軸受け部には、前記第２軸部が嵌合されたことを特徴とする開閉装置。
【０００８】
本適用例によれば、軸部における軸方向の他方には、円柱部の外周面が軸方向に延設された外周面と、外周面より軸中心側に位置して軸方向に延設された平面と、を有する第２軸部が設けられる。これにより、軸部を軸受け部に嵌合させるときには、軸受け部の開口部を第２軸部が通って軸受け部に軸部が嵌合できる。そして、軸部における軸方向の一方には、円柱部が形成された第１軸部が設けられ、第１軸受け部には、第１軸部が嵌合される。これにより、軸部と軸受け部との相対的な回動動作において、軸部の回転中心の位置が大きく変動することを抑制する。そのため、カバーを回動させたときに、カバーが安定した姿勢で回動し、滑らかに回動させることができる。
【０００９】
［適用例２］本体の外側を覆う外装部と、前記外装部の一部を遮蔽可能なカバーと、前記外装部と前記カバーのうちの一方に設けられた柱状の軸部と、前記外装部と前記カバーのうちの他方に設けられて、軸方向に延設される開口部を有し、前記軸部が相対的に回動可能に嵌合された軸受け部と、が備えられ、前記軸部における軸方向の一方には、円柱部が形成された第１軸部が設けられ、前記軸部における軸方向の他方には、前記円柱部の外周面が軸方向に延設された外周面と、前記外周面より軸中心側に位置して軸方向に延設された平面と、を有する第２軸部が設けられ、前記軸受け部における軸方向の一方には、軸方向と交わる方向の断面形状が半円形状より長い円弧が形成された第２軸受け部が設けられ、前記軸受け部における軸方向の他方には、前記第２軸受け部が形成される円弧より短く形成された第１軸受け部が設けられ、前記第１軸受け部および前記第２軸受け部は、前記カバーが回動する範囲内で前記第１軸部と、前記第２軸部と摺接することを特徴とする開閉装置。
【００１０】
本適用例によれば、軸部における軸方向の他方には、円柱部の外周面が軸方向に延設された外周面と、外周面より軸中心側に位置して軸方向に延設された平面と、を有する第２軸部が設けられる。これにより、軸部を軸受け部に嵌合させるときには、軸受け部の開口部を第２軸部が通って軸受け部に軸部が嵌合できる。そして、軸部における軸方向の一方には、円柱部が形成された第１軸部が設けられ、第１軸受け部には、第１軸部が嵌合される。これにより、軸部と軸受け部との相対的な回動動作において、軸部の回転中心の位置が大きく変動することを抑制する。そのため、カバーを回動させたときに、カバーが安定した姿勢で回動し、滑らかに回動させることができる。
【００１１】
［適用例３］前記第１軸受け部の径と、前記第１軸部の径は同じであることを特徴とする上記開閉装置。
【００１２】
本適用例によれば、第１軸部における円柱部の外周面が第１軸受け部の内周面と摺接する。これにより、軸部の回転中心の位置が大きく変動することを抑制するので、カバーを回動させたときに、カバーが安定した姿勢で回動し、滑らかに回動させることができる。
【００１３】
［適用例４］上記開閉装置を備えたことを特徴とする記録装置。
【００１４】
本適用例によれば、カバーを回動させたときに、カバーが安定した姿勢で回動し、滑らかに回動させることができる。
【００１５】
［適用例５］前記外装部には、前記外装部から外方に飛び出す状態で差込対象物を差込可能な接続口が設けられ、前記カバーは、前記接続口を遮蔽可能に備えられたことを特徴とする上記記録装置。
【００１６】
本適用例によれば、外装部から外方に飛び出す状態で差込対象物を差込可能な接続口を覆うカバーを外装部に装着し、カバーを回動させたときに、カバーが安定した姿勢で回動し、滑らかに回動させることができる。
【図面の簡単な説明】
【００１７】
【図１】記録装置の外観斜視図であり、カバーが閉じた状態を示す図。
【図２】記録装置の外観斜視図であり、カバーが開いた状態を示す図。
【図３】図２中の一点鎖線Ａで囲んだ部分の拡大図。
【図４】カバーの裏側を下側から見た斜視図。
【図５】（ａ）は、軸部が設けられた部分の斜視図、（ｂ）、（ｃ）は、軸部の断面図。
【図６】（ａ）は、軸受け部が設けられた部分の斜視図、（ｂ）、（ｃ）は、軸受け部の断面図。
【図７】軸受け部に軸部が嵌合した状態の斜視図。
【図８】従来の軸部と軸受け部の構成を説明する図。
【発明を実施するための形態】
【００１８】
（実施例）
以下、本発明の一実施の形態に係る開閉装置を備える記録装置１０について、図面を参照しながら説明する。なお、以下の説明において、図面に示す矢示Ｘ１方向を「前」、矢示Ｘ２方向を「後（後ろ）」、Ｘ１方向とＸ２方向の両方向に対し水平方向で直交する方向となる矢示Ｙ１方向を「左」、矢示Ｙ２方向を「右」、ＸＹ平面と直交する矢示Ｚ１方向を「上」および矢示Ｚ２方向を「下」とそれぞれ規定する。
【００１９】
図１は、記録装置の外観斜視図であり、カバーが閉じた状態を示す図である。図２は、記録装置の外観斜視図であり、カバーが開いた状態を示す図である。記録装置１０は、紙などの記録対象物に記録を行うものであり、図示を省略する設置面に設置される。記録装置１０の本体１１の前方には各種操作を行うための操作部１２が設けられている。なお、本明細書における「記録」には、印刷が含まれるものとする。
【００２０】
記録装置１０は、その左方に開閉可能なカバー１３を有している。このカバー１３は、インターフェイス部１４に形成される接続口１５を覆う形態で設けられている。接続口１５には、記憶媒体（差込対象物）であるメモリーカード１６が、インターフェイス部１４の後方パネル部２１（後述）から外側（前方）に飛び出す状態で挿入される。
【００２１】
ここで、接続口１５に挿入されるメモリーカード１６をインターフェイス部１４から外側に飛び出させるという構成を採用するのは、メモリーカード１６のための空間を、本体１１のインターフェイス部１４よりも内部に大きく確保する必要がなくなり、記録装置１０の小型化が可能となるためである。
【００２２】
このため、接続口１５から前方に飛び出た状態でメモリーカード１６はカバー１３によって覆われることになる。カバー１３は左側方からインターフェイス部１４の前側全体を覆うため、本体１１にカバー１３の稜線が複数現れることがなくなり、記録装置１０の意匠性の向上を図ることができる。
【００２３】
図３は、図２中の一点鎖線Ａで囲んだ部分の拡大図である。カバー１３にはフック体１７が設けられていて、このフック体１７はカバー１３を閉じたときに本体１１の内側に向かって突出する。一方、インターフェイス部１４には前方に向かって開口する差込口１８が設けられている。
【００２４】
カバー１３を閉じると、フック体１７が差込口１８に嵌まり込んで、カバー１３の閉状態が維持される。また、インターフェイス部１４は、差込口１８が設けられる前方部２０と、前方部２０よりも後方に奥まった位置に形成される後方パネル部２１とを有する。
【００２５】
後方パネル部２１には、接続口１５が設けられている。このような構成により、接続口１５に挿入されたメモリーカード１６の前方に飛び出た部分が、前方部２０よりも前方に飛び出すことがなくなる。このため、カバー１３とメモリーカード１６が干渉することなく、カバー１３を閉じることが可能となる。
【００２６】
本体１１の外側は外装部２２によって覆われている。なお、外装部２２には、上述したインターフェイス部１４も含まれるものとする。カバー１３には、係合部５０が設けられている。係合部５０は、メモリーカード１６の先端部が衝突して、この先端部を受け止めるための部分である。
【００２７】
図４は、カバー１３の裏側を下側Ｚ２から見た斜視図である（フック体１７、係合部５０は不図示）。カバー１３は、図２のインターフェイス部１４を遮蔽可能な第１面３０、第１面の外周部に連続して形成され、第１面から立設する第２面３１を有する。第２面３１には、軸受け部３２が２個設けられる。軸受け部３２には、内周面３２１が形成され、一点鎖線に示す軸の方向に延設する開口部３２２が設けられる。
【００２８】
図３の後方パネル部２１の左側Ｙ１側面に、上下方向に並ぶ軸部４０が２個設けられる。図５（ａ）は、柱状の軸部４０が設けられた部分の斜視図である。図５（ｂ）は、図５（ａ）の破線Ｂ−Ｂ´の位置において矢印方向（一点鎖線で示した軸方向）から見た第１軸部４０ａの断面図である。図５（ｃ）は、破線Ｃ−Ｃ´の位置において矢印方向（軸方向）から見た第２軸部４０ｂの断面図である。図５（ａ）の軸部４０は、軸方向の両端を支持部４１に支持され、後方パネル部２１の壁部から離れて設けられる。
【００２９】
軸部４０は、軸方向の一方に形成された第１軸部４０ａと、軸方向の他方に形成された第２軸部４０ｂとから構成される。第１軸部４０ａは、円柱状の外周面４０１を有する。第２軸部４０ｂは、軸方向に延設されて、軸方向と交わる方向に対向する一対の外周面４０２と、外周面４０２より軸の中心側に位置して軸方向に延設されて、軸方向と交わる方向に対向する一対の平面４０３とを有する。
【００３０】
図６（ａ）は、軸受け部３２が設けられた部分の斜視図である。図６（ｂ）は、図６（ａ）の破線Ｅ−Ｅ´の位置において矢印方向（一点鎖線で示した軸方向）から見た第１軸受け部３２ａの断面図である。図６（ｃ）は、破線Ｆ−Ｆ´の位置において矢印方向（軸方向）から見た第２軸受け部３２ｂの断面図である。
【００３１】
図６（ａ）の軸受け部３２は、一点鎖線に示す軸方向の一方に形成された第１軸受け部３２ａと、軸方向の他方に形成された第２軸受け部３２ｂとから構成される。図６（ｂ）に示す第１軸受け部３２ａの断面形状は、半円形状の円弧である。図６（ｃ）に示す第２軸受け部３２ｂの断面形状は、半円形状より長い円弧である。開口部３２２は、第１軸受け部３２ａの開口部３２２ａと、第２軸受け部３２ｂの開口部３２２ｂとから構成される。
【００３２】
図５（ａ）の第１軸部４０ａの外周面４０１の直径の長さと、図６（ａ）の第１軸受け部３２ａの内周面３２１の直径の長さは略同じである。これにより、第１軸部４０ａの外周面４０１が第１軸受け部３２ａの内周面３２１と摺動し、カバー１３を回動させたときに、カバー１３が安定した姿勢で回動し、滑らかに回動させることができる。
【００３３】
また、図６（ｂ）に示したように、第１軸受け部３２ａは、半円形状である。これにより、軸部４０と軸受け部３２との軸方向が同じ方向となる姿勢でカバー１３を後方パネル部２１に装着するとき、第１軸受け部３２ａを第１軸部４０ａに嵌合させることができる。
【００３４】
図７は、軸受け部３２に軸部４０が嵌合した状態の斜視図である。図５（ｃ）に示す第２軸部４０ｂの一対の平面４０３が対向する距離Ｌ２は、図６（ａ）の第２軸受け部３２ｂの開口部３２２ｂの長さＬ１以下である。これにより、軸部４０と軸受け部３２との軸方向が同じ方向となる姿勢でカバー１３を後方パネル部２１に装着するとき、第２軸受け部３２ｂを第２軸部４０ｂに嵌合させることができる。
【００３５】
このような構成により、第１軸受け部３２ａ、第２軸受け部３２ｂは、カバー１３が回動する範囲内で第１軸部４０ａ、第２軸部４０ｂとそれぞれ摺接する。
【００３６】
以上、本実施例の開閉装置を備えた記録装置１０は、本体１１の外側を覆う外装部２２と、外装部２２の一部である後方パネル部２１を遮蔽可能なカバー１３と、後方パネル部２１に設けられた柱状の軸部４０と、カバー１３に設けられて、軸方向に延設される開口部３２２を有し、軸部４０が相対的に回動可能に嵌合された軸受け部３２と、が備えられる。
【００３７】
軸部４０における軸方向の一方には、円柱部が形成された第１軸部４０ａが設けられ、軸部４０における軸方向の他方には、円柱部の外周面４０１が軸方向に延設された一対の外周面４０２と、外周面４０２より軸の中心側に位置して軸方向に延設された一対の平面４０３と、を有する第２軸部４０ｂが設けられる。
【００３８】
軸受け部３２における軸方向の一方には、軸方向と交わる方向の断面形状が半円形状より長い円弧が形成された第２軸受け部３２ｂが設けられ、軸受け部３２における軸方向の他方には、第２軸受け部３２ｂが形成される円弧より短く形成された第１軸受け部３２ａが設けられ、第１軸受け部３２ａには、第１軸部４０ａが嵌合され、第２軸受け部３２ｂには、第２軸部４０ｂが嵌合される。
【００３９】
円柱部の外周面が軸方向に延設された外周面４０１と、外周面４０１より軸中心側に位置して軸方向に延設された平面４０３と、を有する第２軸部４０ｂが設けられる。これにより、軸部４０を軸受け部３２に嵌合させるときには、軸受け部３２の開口部３２２ｂを第２軸部４０ｂが通って軸受け部３２に軸部４０が嵌合できる。
【００４０】
軸部４０と軸受け部３２との相対的な回動動作において、第２軸部４０ｂの平面４０３が第２軸受け部３２ｂの開口部３２２ｂと対向する位置にあって、第２軸部４０ｂの平面４０３と第２軸受け部３２ｂの内周面３２１との間に隙間が生じても、第１軸部４０ａにおける円柱部の外周面４０１が第１軸受け部３２ａの内周面３２１と摺接する。
【００４１】
これにより、軸部４０の回転中心の位置が大きく変動することを抑制するので、カバー１３を回動させたときに、カバー１３が安定した姿勢で回動し、滑らかに回動させることができる。
【００４２】
本実施例では、軸部４０を後方パネル部２１に設け、軸受け部３２をカバー１３に設けたが、軸受け部を後方パネル部２１に設け、軸部をカバー１３に設けてもよい。
【符号の説明】
【００４３】
１０…記録装置、１１…本体、１３…カバー、２１…後方パネル部、２２…外装部、３２…軸受け部、３２ａ…第１軸受け部、３２ｂ…第２軸受け部、４０…軸部、４０ａ…第１軸部、４０ｂ…第２軸部、３２２，３２２ａ，３２２ｂ…開口部、４０１，４０２…外周面、４０３…平面。
【図１】
2014192439.tif 000003
【図２】
2014192439.tif 000004
【図３】
2014192439.tif 000005
【図４】
2014192439.tif 000006
【図５】
2014192439.tif 000007
【図６】
2014192439.tif 000008
【図７】
2014192439.tif 000009
【図８】
2014192439.tif 000010